(57)【要約】【課題】  タンパク質の目視による確認が可能なＣＢＢ染色において、目視では確認できない電気泳動ゲル中の微量のタンパク質を検出することを可能とし、サンプルを切り出す際に目視確認との併用を可能とすることで、質量分析装置などによる解析の信頼性を向上させることができる方法を提供すること。【解決手段】  ゲル上を電気泳動させたタンパク質をクーマシーブリリアントブルーで染色し、次いで該タンパク質に６００ｎｍ以上の波長を有する励起光を照射することを含む、タンパク質を蛍光画像として検出する方法。【選択図】    なし【特許請求の範囲】
【請求項１】
ゲル上を電気泳動させたタンパク質をクーマシーブリリアントブルーで染色し、次いで該タンパク質に６００ｎｍ以上の波長を有する励起光を照射することを含む、タンパク質を蛍光画像として検出する方法。
【請求項２】
タンパク質に６００ｎｍ以上の波長を有する励起光を照射し、生じた蛍光を光電的に検出し、該タンパク質の蛍光画像を生成する、請求項１に記載の方法。
【請求項３】
６００ｎｍ以上７００ｎｍ以下の波長を有する励起光を照射する、請求項１又は２に記載の方法。
【請求項４】
６５０ｎｍ以上７００ｎｍ以下の波長を有する励起光を照射する、請求項１から３の何れかに記載の方法。
【請求項５】
ゲルがポリアクリルアミドゲルである、請求項１から４の何れかに記載の方法。
【請求項６】
タンパク質をクーマシーブリリアントブルーで染色した後に脱色液を用いて脱色し、次いで該タンパク質に600nm以上の波長を有する励起光を照射する、請求項１から５の何れかに記載の方法。
【請求項７】
ゲル上のタンパク質を目視により検出すると同時に、蛍光画像として検出する、請求項１から６の何れかに記載の方法。
【発明の詳細な説明】
【技術分野】
【０００１】
本発明は、タンパク質を解析する方法、具体的には、タンパク質を蛍光画像として検出する方法に関する。より詳細には、本発明は、電気泳動してクーマシーブリリアントブルーで染色したタンパク質を含むゲルに所定の励起波長を有する光を照射することによって、上記タンパク質を蛍光画像として検出する方法に関する。
【背景技術】
【０００２】
ポリアクリルアミドゲル電気泳動（ＰＡＧＥ）は、タンパク質の分離、検出及び同定のために汎用され、またタンパク質のサイズを決定する際にも有用である。特に、ＳＤＳ−ＰＡＧＥ(Sodium Dodesyl Sulfate-PAGE)は、タンパク質が陰イオン界面活性剤であるＳＤＳと結合し、タンパク質の表面が陰電荷を有するようになるため、タンパク質分子の大きさのみが分離因子として作用することを特徴とする方法である。ＳＤＳ−ＰＡＧＥは、操作が簡単で、分離度が優れているのでタンパク質の分析技術として広く使用されている。電気泳動に供されるタンパク質は一般に無色であるため、適当な検出手段が必要である。タンパク質の検出方法としては銀染色法、有機染料染色法、及び蛍光染色法などが知られている。
【０００３】
銀染色法は、銀をゲルに沈着させた後、還元する方法であり、非放射性の検出方法としては最も感度の高いものである。しかしながら、この方法は操作が比較的難しく、多段階の工程を要するという問題がある。
【０００４】
有機染料染色法は、アミドブラック１０Ｂ、ポンセアウスＳ、ファストグリーンＦＣＦ、クーマシーブリリアントブルー（Ｃｏｏｍａｓｓｉｅ Ｂｒｉｌｌｉａｎｔ Ｂｌｕｅ ：ＣＢＢ）等の有機染料でタンパク質バンドを染色する方法である。特に、クーマシーブリリアントブルー（ＣＢＢ）染色は電気泳動後のタンパク質を目視により検出することができるため、広く使用されている。例えば、非特許文献１には、ＳＤＳ−ＰＡＧＥ用緩衝液を用いてタンパク質やペプチドをクーマシーブリリアントブルー染色により検出できることが記載されている。特に、ゲル電気泳動後のサンプルをゲルから切り出して、ＭＡＬＤＩ−ＴＯＦ型質量分析装置などにより解析するプロテオミクスの分野においては、ＣＢＢ染色は質量分析を妨害しないため、優れた染色方法である。しかし、ＣＢＢ染色法は、検出感度が低いことが欠点で、一般的には少量のタンパク質は検出することができない。
【０００５】
ＣＢＢ染色よりもさらに感度の高いタンパク質の検出方法として、各種の蛍光染色法が開発されてきた。蛍光染色法は分析対象のタンパク質を蛍光染料で標識して検出する方法であり、高い感度を示す方法である。例えば、電気泳動した蛋白質を、モレキュラー・プローブ社のSYPRO Orange やSYPRO Redなどのような、４４０ないし５００ｎｍに励起光の波長のピークを有し、５６０ないし６２０ｎｍに蛍光の波長のピークを有する主にドデシル硫酸ナトリウム（ＳＤＳ）−タンパク質複合体に作用して、染色するタンパク質染色用蛍光色素や、５１０ないし５８０ｎｍに励起光の波長のピークを有し、６００ないし６６０ｎｍに蛍光の波長のピークを有するタンパク質染色用蛍光色素を用いて、タンパク質を染色し、励起光を照射し、生じた蛍光を光電的に検出することによって、タンパク質のの蛍光画像を生成し、タンパク質の位置情報を検出する方法が知られている。しかしながら、上記したような蛍光試薬は透明なため、目視により確認することができないという問題がある。
【０００６】
【非特許文献１】Jens Wiltfang他、Electrophoresis 1991, 12, 352-366
【発明の開示】
【発明が解決しようとする課題】
【０００７】
本発明は、上記した従来技術の問題点を解消することを解決すべき課題とした。即ち、本発明は、タンパク質の目視による確認が可能なＣＢＢ染色において、目視では確認できない電気泳動ゲル中の微量のタンパク質を検出することを可能とし、サンプルを切り出す際に目視確認との併用を可能とすることで、質量分析装置などによる解析の信頼性を向上させることができる方法を提供することを解決すべき課題とした。
【課題を解決するための手段】
【０００８】
本発明者らは、上記課題を解決するために鋭意検討した結果、ゲル上を電気泳動させたタンパク質をクーマシーブリリアントブルーで染色し、次いで該タンパク質に600nm以上の波長を有する励起光を照射することにより発する蛍光を検出することにより、微量のタンパク質でも蛍光画像として検出することができることを見出し、本発明を完成するに至った。
【０００９】
即ち、本発明によれば、ゲル上を電気泳動させたタンパク質をクーマシーブリリアントブルーで染色し、次いで該タンパク質に６００ｎｍ以上の波長を有する励起光を照射することを含む、タンパク質を蛍光画像として検出する方法が提供される。
【００１０】
好ましくは、タンパク質に６００ｎｍ以上の波長を有する励起光を照射し、生じた蛍光を光電的に検出し、該タンパク質の蛍光画像を生成することができる。
好ましくは、６００ｎｍ以上７００ｎｍ以下の波長を有する励起光を照射することができ、さらに好ましくは、６５０ｎｍ以上７００ｎｍ以下の波長を有する励起光を照射することができる。
【００１１】
使用するゲルとして具体的には、アガロースゲル、等電点ゲル、ポリアクリルアミドゲルが挙げられ、好ましくは、ポリアクリルアミドゲルである。
好ましくは、タンパク質をクーマシーブリリアントブルーで染色した後に脱色液を用いて脱色し、次いで該タンパク質に600nm以上の波長を有する励起光を照射することができる。
好ましくは、ゲル上のタンパク質を目視により検出すると同時に、蛍光画像として検出することができる。
【発明の効果】
【００１２】
二次元電気泳動後のタンパク質のスポットをゲルから切り出して、質量分析装置に供してタンパク質の同定を行うことが行われている。このときに高感度な蛍光法であるSYPRO Rubyを用いた場合は、タンパク質のスポットが目に見えないために正しい位置から切り出していることを確認するために、実寸大にプリントアウトした紙を下敷きにする方法が採用されている。しかし、ゲル自身は無色透明であるため、正しい位置から切り出されていることを確認するためには、事後に再度画像を読み取ることが必要となる。
【００１３】
本発明の方法によれば、目に見えるＣＢＢ染色のスポットと目には見えないが高感度に検出できたスポットが混在するために、周辺の目に見えるスポットを手がかりにして目に見えないタンパク質のスポットを切り出すことが可能となる。即ち、本発明の方法によれば、微量のタンパク質であっても迅速かつ簡便に検出及び解析することが可能である。
【発明を実施するための最良の形態】
【００１４】
以下、本発明の実施の形態について詳細に説明する。
（１）タンパク質溶液の調製
本発明においては、任意のタンパク質を電気泳動させることができる。タンパク質を電気泳動する際には、タンパク質を含む溶液を調製し、これをゲルにアプライすることが好ましい。タンパク質溶液を調製するためのバッファーは当業者に公知の通常のバッファーを使用することができ、例えば、Tris-HCl、ＳＤＳ、β−メルカプトエタノール       、グリセロールなどを含むバッファーを使用することができる。また、バッファーには電気泳動の進行状況を確認するための指示薬（例えば、ブロムフェノールブルー等）を添加してもよい。
【００１５】
タンパク質溶液に含まれるタンパク質は、生体由来の天然タンパク質、化学合成したタンパク質、遺伝子組み換え技術により作製した組み換えタンパク質の何れでもよく、既知のタンパク質でも未知のタンパク質でもよい。タンパク質溶液に含まれるタンパク質は１種類でもよいし、２種類以上の複数でもよい。あるいは、生体由来の体液又はその処理物、あるいは細胞培養物などのようにタンパク質以外の成分が含まれる液体をタンパク質溶液として使用することもできる。
【００１６】
（２）電気泳動
タンパク質の電気泳動は当業者に公知の方法により行うことができる。ゲルの種類は特に限定されないが、好ましくはポリアクリルアミドゲル、等電点ゲルまたはアガロースゲルであり、特に好ましくはポリアクリルアミドゲルである。ポリアクリルアミド濃度は特に限定されず、泳動するタンパク質の分子量などを考慮して適宜設定することができ、一般的には３％から２５％程度であり、好ましくは３〜２０％程度である。またポリアクリルアミド濃度はゲル全体で均一でもよいし、勾配を設けてもよい。勾配を設ける場合には、例えば、３〜２５％又は３〜２０％などのような濃度勾配を有するポリアクリルアミドゲルを用いることができる。電気泳動に用いる緩衝液としては、通常使用される緩衝液を使用することができ、例えば、Tris、グリシン、及びSDSを含む緩衝液を使用することができる。電気泳動は、適当な電流で所定の時間だけ行うことができる。
【００１７】
（３）染色及び脱色
電気泳動したゲルは、クーマシーブリリアントブルーを含有する染色液に所定の時間だけ浸すことによって染色することができる。染色中、ゲルは振盪してもよい。本発明で使用するクーマシーブリリアントブルーとしては、クーマシーブリリアントブルーＲ又はクーマシーブリリアントブルーＧの何れでもよい。染色液としては、例えば、１〜５(W/V)％のクーマシーブリリアントブルー、1〜70(V/V)％のメタノールまたはエタノール、及び1〜10(V/V)％の酢酸を含む水溶液などを使用することができる。ゲルと染色液を接触させる時間は特に限定されないが、例えば、１分〜１０時間程度行うことができ、好ましくは１０分〜１０時間程度、より好ましくは３０分〜２時間程度である。
【００１８】
染色後のゲルは、所望により脱色液を用いて脱色することができる。脱色液としては、1〜20(V/V)％のメタノールまたはエタノール、及び1〜20(V/V)％の酢酸を含む水溶液などを使用することができる。脱色は、脱色液は時々交換しながら行うことができる。ゲルと脱色液を接触させる時間は特に限定されないが、例えば、１分以上であればよく、１日程度行うこともできる。
【００１９】
（４）面像解析
クーマシーブリリアントブルーで染色したタンパク質の蛍光検出は、通常のイメージアナライザーなどの標準的な蛍光スキャナーを用いて行うことができる。例えば、富士写真フイルム株式会社が販売するFLA-5000画像解析システムを用いて、クーマシーブリリアントブルーで染色したタンパク質の蛍光画像を取得することができる。
【００２０】
この場合、染色したタンパク質には、例えば、高輝度水銀灯又はレーザーなどの照射手段によって励起光が照射される。励起光の波長は６００ｎｍ以上７００ｎｍ以下が好ましく、例えば６３５ｎｍ又は６７０ｎｍなどは挙げられる。励起光の波長は６５０ｎｍ以上７００ｎｍ以下がさらに好ましく、例えば６７０ｎｍなどが挙げられる。好ましくは、照射手段は、６００ｎｍ以上の波長の照射ビームを有するレーザーである。例えば、タンパク質には、Ｈｅ−Ｎｅガスレーザーまたは固体状態のダイオードレーザーによって発生したレーザー光を照射することができる。次いで、この蛍光は光感知検出器（例えば、光電子増倍管、帯電した結合デバイスなど）によって検出される。
【００２１】
光感知検出器は、目的の波長を選択的に透過する光学ファイルタと光電変換素子とから構成されており、タンパク質からの蛍光を検出して電気信号に変換する。電気信号に変換された蛍光のパターンは、電気泳動により分離されたタンパク質の電気泳動パターンを示している。
以下の実施例により本発明をさらに具体的に説明するが、本発明は実施例によって限定されるものではない。
【実施例】
【００２２】
（１）タンパク質溶液の調製
以下の表１に示す組成を有するサンプルバッファーを用いて、以下の表２に示すタンパク質を同時に含むタンパク質溶液を作製した。
【００２３】
【表１】
2005331267.tif 000002
【００２４】
【表２】
2005331267.tif 000003
【００２５】
（２）電気泳動
濃度１０％のポリアクリルアミドゲル(１０×１０ｃｍ)を用いて、上記（１）で調製したタンパク質溶液を、５μｌ（レーン１及び２）、２．５μｌ（レーン３及び４）、１．２５μｌ（レーン５及び６）、０．６２５μｌ（レーン７及び８）、及び０．３１３μｌ（レーン９及び１０）の量で、ゲルの各レーン上にアプライした。泳動バッファー（Tris 15.15g、グリシン72.05g、精製水5リットル、SDS 5g）を用いて、４０ｍＡ（定電流）にて約６０分間、サンプルバッファーに含まれるブロムフェノールブルー色素の先端がゲルの下端にくるまで泳動を実施した。
【００２６】
（３）染色及び脱色
電気泳動を実施後、染色液（クーマシーブリリアントブルーR250 25g、メタノール500m1、酢酸50ml、及び精製水   450ml）にゲルを浸して１時間ゆっくり振とうしながら染色した。染色後、脱色液（メタノール50m1、酢酸70m、精製水880ml）を時々交換しながら、オーバーナイトで脱色を行った。
【００２７】
（４）面像解析
富士写真フイルム株式会社が販売するFLA-5000画像解析システムを用いて下記の条件でＣＢＢ染色ゲルの各種画像を取得した。
【００２８】
【表３】
2005331267.tif 000004
【００２９】
（５）画像のプリントアウト
FLA-5000で取得した画像を富士写真フイルム株式会社が販売するScienceLabの中のMultiGaugeソフトで開き、コントラスト調整は画線間比較ができるように、同じ方法(Exponential変換)で表示させて、プリントアウトした。
【００３０】
（６）プリントアウトされた画像の説明
図１では、デジタイズモードでＣＢＳ染色ゲルの目視観察と同じ画像を得た。最も低濃度のレーンで最下端のインスリンがほとんど見えていない。
図２（比較例）は、５３２ｎｍで励起、LPGフィルター、600HV、Chl  PMTを示す。画像全体のノイズが高く、最低濃度のインスリンバンドはわずかに見えている。
図３（本発明）は、６３５ｎｍで励起、LPRフィルター、600HV、Chl  PMTを示す。画像全体のバックグラウンドノイズはややあるが、最低濃度のインスリンのバンドははっきりと見えている。
図４（本発明）は、６７０ｎｍで励起、LPFRフィルター、600HV、Ch2 PMTを示す。画面全体のバックグラウンドノイズは最も低く、滑らかな画像が得られている。最低濃度のインスリンのバンドははっきりと見えていて、画像としてもっとも高く評価できる。
【図面の簡単な説明】
【００３１】
【図１】図１は、デジタイズ画像を示す。
【図２】図２は、５３２ｎｍで励起した蛍光画像（比較例）を示す。
【図３】図３は、６３５ｎｍで励起した蛍光画像（本発明）を示す。
【図４】図４は、６７０ｎｍで励起した蛍光画像（本発明）を示す。
【図１】
2005331267.tif 000005
【図２】
2005331267.tif 000006
【図３】
2005331267.tif 000007
【図４】
2005331267.tif 000008